(57)【要約】【課題】クリック感の悪化や操作ダイアルの停止位置での回転ガタを増大させることなく、クリック音を低減させることができるダイアルユニットを提供する。【解決手段】ダイアルユニット３０は、ダイアル２５と、ダイアル２５と一体に回転可能に設けられ、複数の凸部３３ａが回転方向に沿って形成されたクリック板３３と、互いに隣り合う２つの凸部３３ａの間の凹部にそれぞれ係合してクリック板３３と一体に回転可能に設けられ、互いに隣り合う２つの凸部３３ａの間から径方向外側に突出する複数の突起部３２ａを有する弾性部材３２と、凸部３３ａを径方向内側に押圧し、ダイアル２５を回転操作した際に、凸部３３ａを乗り越えるように配置されるボール３６とを備える。ボール３６は、凸部３３ａを乗り越えた後、凸部３３ａと突起部３２ａとに接触し、互いに隣り合う２つの凸部３３ａの間に位置したとき、ボール３６が互いに隣り合う２つの凸部３３ａに当接するように、ボール３６が突起部３２ａを圧縮変形させる。【選択図】図２
2016224293.tif 000002
【特許請求の範囲】
【請求項１】
回転操作が可能に設けられる操作ダイアルと、
前記操作ダイアルと一体に回転可能に設けられ、外周部に複数の凸部が回転方向に沿って形成されたクリック板と、
前記クリック板の前記回転方向に互いに隣り合う前記凸部の間に形成される凹部にそれぞれ係合して前記クリック板と一体に回転可能に設けられ、前記回転方向に互いに隣り合う前記凸部の間から径方向外側に突出する複数の突起部を有する弾性部材と、
前記クリック板の前記凸部を径方向内側に押圧し、前記操作ダイアルを回転操作した際に、前記凸部を乗り越えるように配置される押圧部材と、を備え、
前記押圧部材は、前記回転方向に互いに隣り合う２つの前記凸部の間に位置したとき、前記突起部を径方向内側に押圧して、前記押圧部材が互いに隣り合う２つの前記凸部に当接するように、前記押圧部材が前記突起部を圧縮変形させることを特徴とするダイアルユニット。
【請求項２】
前記押圧部材は、前記凸部を乗り越えた後に、前記凸部と前記突起部との２箇所で点接触することを特徴とする請求項１に記載のダイアルユニット。
【請求項３】
前記弾性部材は、少なくとも外表面が摺動性を有する材料で形成されていることを特徴とする請求項１又は２に記載のダイアルユニット。
【請求項４】
前記突起部は、前記弾性部材の径方向内側に向けて次第に前記回転方向に幅広になるように形成されていることを特徴とする請求項１乃至３のいずれか一項に記載のダイアルユニット。
【請求項５】
前記弾性部材の前記突起部と前記クリック板の前記凹部との間には、径方向に隙間が形成されていることを特徴とする請求項１乃至４のいずれか一項に記載のダイアルユニット。
【請求項６】
前記突起部には、スリット穴が形成されていることを特徴とする請求項１乃至５のいずれか一項に記載のダイアルユニット。
【請求項７】
前記押圧部材は、前記凸部を押圧するボールと、前記ボールを前記クリック板の径方向内側に向けて付勢するバネとにより構成されていることを特徴とする請求項１乃至６のいずれか一項に記載のダイアルユニット。
【請求項８】
前記操作ダイアル、前記クリック板、前記弾性部材、及び前記押圧部材を保持するホルダを備え、
前記ホルダは、電子機器の外装カバーに形成された開口部から前記操作ダイアルの一部を突出させた状態で前記外装カバーに固定されることを特徴とする請求項１乃至７のいずれか一項に記載のダイアルユニット。
【請求項９】
前記操作ダイアルと前記外装カバーの前記開口部との間の隙間は、前記操作ダイアルと前記ホルダとの間の隙間より小さいことを特徴とする請求項８に記載のダイアルユニット。
【請求項１０】
請求項１乃至９のいずれか一項に記載のダイアルユニットを備えることを特徴とする電子機器。
【発明の詳細な説明】
【技術分野】
【０００１】
本発明は、例えばデジタルカメラ等の撮像装置を含む電子機器に設けられるダイアルユニットに関し、特に操作ダイアルの回転操作時にクリック感を発生させるクリック機構を備えるダイアルユニットの改良に関する。
【背景技術】
【０００２】
デジタルカメラ等の撮像装置では、撮影に際して、オート撮影、絞り優先撮影、シャッター速度優先撮影等の各種モードの切り替えや、絞り値、シャッタ速度、ＩＳＯ感度等のパラメータを変更する各種操作ダイアルが設けられている。操作ダイアルには、ユーザーが意図したモードや値でクリック感を発生させて操作ダイアルを停止させやすくするためのクリック機構を備えるものがある。
【０００３】
クリック機構は、波状のクリック溝にボールをバネで圧接させる構成のものが知られているが、クリック感発生時にクリック溝の波面とボールとが衝突してクリック音が発生する。そのため、動画の撮影中に使用する操作ダイアルの場合、操作ダイアルを回転操作した際のクリック音が同時に記録されてしまう。
【０００４】
そこで、波状のクリック溝にスライド部材をバネで圧接させることで、クリック感発生時にクリック溝の波面とスライダ部材とを線接触させて、クリック音を低減させる技術が提案されている（特許文献１）。
【先行技術文献】
【特許文献】
【０００５】
【特許文献１】特開２００９−３０１８２７号公報
【発明の概要】
【発明が解決しようとする課題】
【０００６】
しかし、上記特許文献１では、クリック溝が形成された部材とスライダ部材とが互いに高剛性の材料の場合、クリック音の低減には限界がある。また、クリック溝が形成された部材及びスライダ部材のいずれか一方又は両方の部材が弾性材料の場合、クリック音の低減の余地は広がるが、弾性材料の変形によりクリック感の悪化や操作ダイアルの停止位置での回転ガタの増大につながる。
【０００７】
そこで、本発明は、クリック感の悪化や操作ダイアルの停止位置での回転ガタを増大させることなく、クリック音を低減させることができるダイアルユニット、及びダイアルユニットを備える電子機器を提供することを目的とする。
【課題を解決するための手段】
【０００８】
上記目的を達成するために、本発明のダイアルユニットは、回転操作が可能に設けられる操作ダイアルと、前記操作ダイアルと一体に回転可能に設けられ、複数の凸部が回転方向に沿って形成されたクリック板と、前記クリック板の前記回転方向に互いに隣り合う前記凸部の間に形成される凹部にそれぞれ係合して前記クリック板と一体に回転可能に設けられ、前記回転方向に互いに隣り合う前記凸部の間から径方向外側に突出する複数の突起部を有する弾性部材と、前記クリック板の前記凸部を径方向内側に押圧し、前記操作ダイアルを回転操作した際に、前記凸部を乗り越えるように配置される押圧部材と、を備え、前記押圧部材は、前記回転方向に互いに隣り合う２つの前記凸部の間に位置したとき、前記突起部を径方向内側に押圧して、前記押圧部材が互いに隣り合う２つの前記凸部に当接するように、前記押圧部材が前記突起部を圧縮変形させることを特徴とする。
【発明の効果】
【０００９】
本発明によれば、クリック感の悪化や操作ダイアルの停止位置での回転ガタを増大させることなく、クリック音を低減させることができるダイアルユニットを提供することができる。
【図面の簡単な説明】
【００１０】
【図１】本発明のダイアルユニットを備える電子機器の第１の実施形態であるデジタルカメラを背面側から見た外観斜視図である。
【図２】ダイアルユニットの分解斜視図である。
【図３】ダイアルユニットをカメラ本体の外装カバーに固定した状態を示す要部断面図である。
【図４】（ａ）は電子ダイアルの回転を停止位置で止めた状態での弾性部材、クリック板及びボールの関係を電子ダイアル側から見た図、（ｂ）は（ａ）の背面側から見た図である。
【図５】（ａ）は電子ダイアルを停止位置から時計回り方向に回転操作した状態での弾性部材、クリック板及びボールの関係を電子ダイアル側から見た図、（ｂ）は（ａ）の背面側から見た図である。
【図６】（ａ）はボールがクリック板の凸部を乗り越えた状態での弾性部材、クリック板及びボールの関係を電子ダイアル側から見た図、（ｂ）は（ａ）の背面側から見た図である。
【図７】本発明のダイアルユニットを備える電子機器の第２の実施形態であるデジタルカメラにおいて、（ａ）は電子ダイアルの停止位置状態での弾性部材、クリック板及びボールの関係を電子ダイアル側から見た図、（ｂ）は（ａ）の背面側から見た図である。
【図８】（ａ）は電子ダイアルを停止位置から時計回り方向に回転操作した状態での弾性部材、クリック板及びボールの関係を電子ダイアル側から見た図、（ｂ）は（ａ）の背面側から見た図である。
【図９】（ａ）はボールがクリック板の凸部を乗り越えた状態での弾性部材、クリック板及びボールの関係を電子ダイアル側から見た図、（ｂ）は（ａ）の背面側から見た図である。
【発明を実施するための形態】
【００１１】
以下、図面を参照して、本発明の実施形態を説明する。
【００１２】
（第１の実施形態）
図１は、本発明のダイアルユニットを備える電子機器の第１の実施形態であるデジタルカメラを背面側から見た外観斜視図である。なお、本実施形態では、電子機器としてデジタルカメラを例示するが、デジタルカメラ以外の撮像装置やその他の電子機器であってもよい。
【００１３】
本実施形態のデジタルカメラは、図１に示すように、カメラ本体１０の正面側（図の背面側）にズーム式のレンズ鏡筒１０ａが設けられ、レンズ鏡筒１０ａの撮影光学系を通過した被写体光は、不図示の撮像素子に結像される。撮像素子は、ＣＣＤセンサやＣＭＯＳセンサ等により構成され、結像した被写体像を光電変換して画像データを生成する。撮像素子で生成した画像データは、不図示の信号処理基板の処理回路によりデジタル情報に変換される。信号処理基板には、カードＩ／Ｆ等を含む記録媒体スロットや、画像処理部、システム制御部、シリアルＩ／Ｆ等が実装されている。
【００１４】
カメラ本体１０の上面部には、電源ボタン２１、レリーズボタン２２、ズームレバー２３、モードダイアル２４、及び電子ダイアル２５が設けられている。電子ダイアル２５は、本発明の操作ダイアルの一例に相当し、回転操作することで、ユーザがモードダイアル２４で選択したモードやユーザが割り当てた機能に応じた各種パラメータを変更することができる。例えば、シャッタ優先モードに設定した場合は、電子ダイアル２５を回転操作することで、シャッタ速度を変更することができる。カメラ本体１０の背面側には、撮影した画像やライブビュー画像を表示する表示ユニット２６が開閉方向に回動可能に支持されている。
【００１５】
次に、図２を参照して、電子ダイアル２５を含むダイアルユニット３０について説明する。図２は、ダイアルユニット３０の分解斜視図である。
【００１６】
図２に示すように、電子ダイアル２５は、ホルダ３１に形成された凹部３１ａに挿入されて回転可能に保持される。ホルダ３１の凹部３１ａの電子ダイアル２５の軸方向の一方側には、弾性部材３２を介してクリック板３３が取り付けられる。クリック板３３は、弾性部材３２より高剛性の材料、例えば樹脂材等で形成されている。弾性部材３２は、少なくとも外表面に摺動性を有する材料で形成され、外周部には、複数の突起部３２ａが周方向に略等間隔で設けられている。
【００１７】
クリック板３３の外周部には、複数の凸部３３ａが周方向に略等間隔で設けられている。また、クリック板３３には、弾性部材３２の中央開口部３２ｂに挿入される軸部３３ｂが形成されている。軸部３３ｂが弾性部材３２の中央開口部３２ｂに挿入された状態においては、弾性部材３２の複数の突起部３２ａがクリック板３３の周方向に互いに隣り合う各凸部３３ａの間の凹部３３ｃにそれぞれ係合する。
【００１８】
これにより、弾性部材３２がクリック板３３に対して位置決めされ、この状態で、クリック板３３の軸部３３ｂがホルダ３１の開口部３１ｂ及び電子ダイアル２５の中央開口部２５ａに挿入される。
【００１９】
ホルダ３１の開口部３１ｂの側には、ボール３６がバネ３７と共に収納される溝部３１ｄが形成されている。バネ３７は、ボール３６がクリック板３３の凸部３３ａに圧接するようにボール３６を付勢する。また、クリック板３３の背面側には、ブラシ接片３８の開口部３８ａが挿入されるダボ３３ｅに形成されている。
【００２０】
ブラシ接片３８の開口部３８ａをダボ３３ｅに挿入してダボ３３ｅを熱カシメ等することでブラシ接片３８がクリック板３３に位置決め固定される。ブラシ接片３８は、ブラシ接片３８の背面側に配置されたフレキシブル基板３９のパターンに圧接されており、電子ダイアル２５の回転操作に伴ってパターン上をスライドすることで電気信号が変化し、電子ダイアル２５の回転状態を検知する。
【００２１】
フレキシブル基板３９の背面側には、ベース部材４０が設けられている。ベース部材４０は、フレキシブル基板３９の台座とボール３６及びバネ３７の抜け止めを兼ねており、フレキシブル基板３９の開口部３９ａと共に開口部４０ａがホルダ３１のダボ３１ｅに挿入され位置決めされる。この状態で、ベース部材４０に形成された孔４０ｂにビス４１を挿入してホルダ３１のビス穴３１ｆにビス４１を締結することで、ベース部材４０がホルダ３１に固定される。
【００２２】
ホルダ３１の凹部３１ａの電子ダイアル２５の軸方向の他方側には、軸部材３４が取り付けられる。軸部材３４には、円筒部３４ａが同軸に形成され、円筒部３４ａの先端部には、突起部３４ｂが設けられている。円筒部３４ａは、ホルダ３１の開口部３１ｂと同軸に形成された開口部３１ｃに挿入され、突起部３４ｂがクリック板３３の軸部３３ｂに形成された凹部３３ｄに係合する。
【００２３】
この状態で、ビス３５を軸部材３４を介してクリック板３３に締結することで、弾性部材３２がホルダ３１とクリック板３３との間に挟持され、電子ダイアル２５、弾性部材３２、クリック板３３、及び軸部材３４がホルダ３１に対して一体回転可能に支持される。
【００２４】
以上のように構成されたダイアルユニット３０は、カメラ本体１０の外装カバー４３（図３参照）から電子ダイアル２５の一部を突出させた状態で外装カバー４３にビス４２によって固定される。
【００２５】
図３は、ダイアルユニット３０をカメラ本体１０の外装カバー４３に固定した状態を示す要部断面図である。図３に示すように、電子ダイアル２５は、クリック板３３とシャフト３４との間に挟持された状態で回転可能に保持されている。このとき、クリック板３３は、ホルダ３１の摺動リブ３１ｇに対して電子ダイアル２５の軸方向に当接し、軸部材３４は、ホルダ３１の摺動リブ３１ｈに対して電子ダイアル２５の軸方向に当接している。この状態では、電子ダイアル２５は、ホルダ３１の凹部３１ａとの間に軸方向の隙間Ａを有しており、ホルダ３１とは当接しない。
【００２６】
また、電子ダイアル２５は、外装カバー４３の開口部４３ａに対して軸方向の隙間Ｂを有して配置され、隙間Ａは、隙間Ｂよりも大きく設定されている。そのため、電子ダイアル２５と外装カバー４３の開口部４３ａとの隙間Ａから侵入した異物が電子ダイアル２５とホルダ３１の凹部３１ａとの隙間Ｂで噛み込み難くなり、電子ダイアル２５の動きを阻害し難くすることができる。
【００２７】
弾性部材３２の開口部３２ｂの周囲には、電子ダイアル２５側に突出する円周リブ３２ｃが同軸に形成されている。円周リブ３２ｃは、ホルダ３１に対して当接可能に設けられ、これにより、弾性部材３２は、クリック板３３とホルダ３１との間に挟持された状態で軸方向の移動が規制される。弾性部材３２は、ホルダ３１の摺動リブ３１ｇに対するクリック板３３の回転方向の摺動を阻害しないように、摺動範囲においてクリック板３３の凸部３３ａより摺動リブ３１ｇ側に突出しないように配置されている。
【００２８】
次に、図４乃至図６を参照して、電子ダイアル２５を回転操作した際の弾性部材３２、クリック板３３及びボール３６の関係について説明する。図４（ａ）は電子ダイアル２５の回転を停止位置で止めた状態での弾性部材３２、クリック板３３及びボール３６の関係を電子ダイアル２５側から見た図、図４（ｂ）は図４（ａ）の背面側から見た図である。
【００２９】
図４に示すように、弾性部材３２の突起部３２ａは、クリック板３３の周方向に互いに隣り合う各凸部３３ａの間に配置されている。図４の状態では、ボール３６は、バネ３７の付勢力により、弾性部材３２の突起部３２ａとクリック板３３の凹部３３ｃの間の径方向の隙間Ｃだけ突起部３２ａを押し込む。また、ボール３６は、クリック板３３の互いに隣り合う２つの凸部３３ａに当接するまで突起部３２ａを押し込んで圧縮変形させる。これにより、停止位置での電子ダイアル２５の回転方向のガタは規制された状態となる。
【００３０】
このとき、弾性部材３２の突起部３２ａは、圧縮変形される方向、即ち、弾性部材３２の径方向内側に向けて次第に回転方向に幅広になるように形成されており、クリック板３３の凹部３３ｃも突起部３２ａに対応する形状に形成されている。このため、弾性部材３２とクリック板３３との間に余計な摩擦が加わることなく、弾性部材３２が圧縮変形される。また、突起部３２ａに対して弾性部材３２の径方向外側に捲れる方向に力が働いたとしても、クリック板３３の凸部３３ａが抜け止めとして機能し、捲れを防止することができる。
【００３１】
図５（ａ）は電子ダイアル２５を停止位置からカメラ本体１０の背面側から見て時計回り方向に回転操作した状態での弾性部材３２、クリック板３３及びボール３６の関係を電子ダイアル２５側から見た図、図５（ｂ）は図５（ａ）の背面側から見た図である。図６（ａ）はボール３６が凸部３３ａを乗り越えた状態での弾性部材３２、クリック板３３及びボール３６の関係を電子ダイアル２５側から見た図、図６（ｂ）は図６（ａ）の背面側から見た図である。
【００３２】
図５の状態では、ボール３６は、クリック板３３の凸部３３ａによって押し下げられ、バネ３７が圧縮された状態となる。また、弾性部材３２の突起部３２ａは、ボール３６による圧縮変形が解除され、クリック板３３の互いに隣り合う各凸部３３ａの間から径方向外側に突出した状態となる。このとき、弾性部材３２の突起部３２ａとクリック板３３の凹部３３ｃとの間には、径方向の隙間Ｃが形成される。
【００３３】
図５の状態からさらに電子ダイアル２５を時計回り方向に回転操作すると、クリック板３３は、凸部３３ａとボール３６とが接触した状態で時計回り方向に回転してボール３６が凸部３３ａを乗り越え、図６の状態となると、同時にクリック感が発生する。図６の状態では、ボール３６は、クリック板３３の凸部３３ａと弾性部材３２の突起部３２ａの２箇所で点接触した状態となる。
【００３４】
その後、バネ３７の付勢力により弾性部材３２の突起部３２ａが圧縮変形されて図４の状態となるが、弾性部材３２の復元力によりボール３６に対するバネ３７の付勢力が抑えられる。このため、クリック板３３の凸部３３ａとボール３６との衝突により発生するクリック音を低減することが可能となる。
【００３５】
以上説明したように、本実施形態では、クリック感の悪化や電子ダイアル２５の停止位置での回転ガタを増大させることなく、クリック音を低減させることができるダイアルユニット３０を提供することができる。
【００３６】
（第２の実施形態）
次に、図７乃至図９を参照して、本発明のダイアルユニットを備える電子機器の第２の実施形態であるデジタルカメラについて説明する。なお、上記第１の実施形態に対して重複又は相当する部分については、各図に同一符号を付して説明する。
【００３７】
図７（ａ）は電子ダイアル２５の回転を停止位置で止めた状態での弾性部材３２、クリック板３３及びボール３６の関係を電子ダイアル２５側から見た図、図７（ｂ）は図７（ａ）の背面側から見た図である。
【００３８】
本実施形態では、弾性部材３２の突起部３２ａとクリック板３３の凹部３３ｃとの径方向の隙間Ｃを設ける代わりに、弾性部材３２の突起部３２ａに軸方向に貫通するスリット穴３２ｂを設けている。
【００３９】
従って、図７に示す電子ダイアル２５の停止位置状態では、ボール３６は、バネ３７の付勢力により、弾性部材３２の突起部３２ａに形成したスリット穴３２ｂを潰すように突起部３２ａを押し込んで圧縮変形する。また、ボール３６は、クリック板３３の互いに隣り合う２つの凸部３３ａに当接するまで突起部３２ａを押し込んで圧縮変形させる。これにより、停止位置での電子ダイアル２５の回転方向のガタは規制された状態となる。
【００４０】
図８（ａ）は電子ダイアル２５を停止位置からカメラ本体１０の背面側から見て時計回り方向に回転操作した状態での弾性部材３２、クリック板３３及びボール３６の関係を電子ダイアル２５側から見た図、図８（ｂ）は図８（ａ）の背面側から見た図である。図９（ａ）はボール３６が凸部３３ａを乗り越えた状態での弾性部材３２、クリック板３３及びボール３６の関係を電子ダイアル２５側から見た図、図９（ｂ）は図９（ａ）の背面側から見た図である。
【００４１】
図８の状態では、ボール３６は、クリック板３３の凸部３３ａによって押し下げられ、バネ３７が圧縮変形された状態となる。また、弾性部材３２の突起部３２ａは、ボール３６による圧縮変形が解除され、クリック板３３の互いに隣り合う各凸部３３ａの間から径方向外側に突出した状態となる。
【００４２】
図８の状態からさらに電子ダイアル２５を時計回り方向に回転操作すると、クリック板３３は、凸部３３ａとボール３６とが接触した状態で時計回り方向に回転してボール３６が凸部３３ａを乗り越え、図９の状態となると、同時にクリック感が発生する。図９の状態では、ボール３６は、クリック板３３の凸部３３ａと弾性部材３２の突起部３２ａの２箇所で点接触した状態となる。
【００４３】
その後、バネ３７の付勢力により弾性部材３２の突起部３２ａが圧縮されて図７の状態となるが、弾性部材３２の復元力によりボール３６に対するバネ３７の付勢力が抑えられる。このため、クリック板３３の凸部３３ａとボール３６との衝突により発生するクリック音を低減することが可能となる。その他の構成、及び作用効果は、上記第１の実施形態と同様である。
【００４４】
なお、本発明の構成は、上記各実施形態に例示したものに限定されるものではなく、材質、形状、寸法、形態、数、配置箇所等は、本発明の要旨を逸脱しない範囲において適宜変更可能である。
【００４５】
例えば、上記各実施形態では、クリック板３３の軸部３３ｂを電子ダイアル２５の開口部２５ａに挿入しているが、軸部材３４の軸部３４ａを電子ダイアル２５の開口部２５ａに挿入するようしてもよい。この際、ビス３５は、軸部材３４側からではなく、クリック板３３側から挿入して軸部材３４に締結する。
【００４６】
また、上記各実施形態では、押圧部材として、ボール３６とバネ３７を用いているが、板バネなど他の部材を用いてもよい。
【００４７】
また、上記各実施形態では、弾性部材３２の突起部３２ａを圧縮し易くするために突起部３２ａとクリック板３３の凹部３３ｃの間に径方向の隙間Ｃ、又は突起部３２ａにスリット穴３２ｂを形成したが、隙間Ｃ及びスリット穴３２ｂの両方を設けてもよい。
【００４８】
また、上記各実施形態では、弾性部材３２の円周リブ３２ｃとホルダ３１との間に隙間を形成しているが、円周リブ３２ｃをホルダ３１に圧接させた状態で弾性部材３２をホルダ３１とクリック板３３とで挟持してもよい。これにより、電子ダイアル２５と外装カバー４３の開口部４３ａの隙間からホルダ３１の開口部３１ｂとクリック板３３の軸部３３ｂの隙間を通って内部に侵入する経路に対してシール性を持たせることができる。
【符号の説明】
【００４９】
２５  電子ダイアル
３０  ダイアルユニット
３１  ホルダ
３２  弾性部材
３２ａ  突起部
３３  クリック板
３３ａ  凸部
３３ｃ  凹部
３６  ボール
３７  バネ
【図１】
2016224293.tif 000003
【図２】
2016224293.tif 000004
【図３】
2016224293.tif 000005
【図４】
2016224293.tif 000006
【図５】
2016224293.tif 000007
【図６】
2016224293.tif 000008
【図７】
2016224293.tif 000009
【図８】
2016224293.tif 000010
【図９】
2016224293.tif 000011